【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】  組織を通る通路を封鎖するための装置であって：
近位端および遠位端を有する細長シャフト；および
該細長シャフトの該遠位端に配置されたプラグ部材、
を備え、該細長シャフトは、該プラグ部材の断面積よりも実質的に小さい断面積を有する、装置。
【請求項２】  前記プラグ部材が、該プラグ部材の遠位端で少なくとも部分的にテーパー状になっている、請求項１に記載の装置。
【請求項３】  前記プラグ部材が、該プラグ部材の遠位端に空洞を有する、請求項１に記載の装置。
【請求項４】  止血促進材料および耐感染性材料のうちの少なくとも１つが、前記空洞に配置されている、請求項３に記載の装置。
【請求項５】  前記材料が腸粘膜下組織を含む、請求項４に記載の装置。
【請求項６】  止血促進材料および耐感染性材料のうちの少なくとも１つが、前記プラグ部材の遠位端に固定されている、請求項１に記載の装置。
【請求項７】  前記プラグ部材が前記細長シャフトから取り外し可能である、請求項１に記載の装置。
【請求項８】  前記細長シャフトが、該細長シャフトの遠位端から前記プラグ部材を取り外すためのアクチュエーターを備える、請求項７に記載の装置。
【請求項９】  前記細長シャフトの遠位端に前記プラグ部材を取り外し可能に固定するための協働コネクタを、該細長シャフトの該遠位端および該プラグ部材上にさらに備える、請求項７に記載の装置。
【請求項１０】  前記プラグ部材が内部空洞を有し、前記細長シャフトが、該細長シャフトの遠位端から延びる、該空洞への挿入のための係合エレメントを備え、該係合エレメントは該プラグ部材の内部壁に係合および分離するために拡張可能かつ折り畳み可能であり、それによって、それぞれ、該プラグ部材が該細長シャフトの遠位端に選択的に固定され、該細長シャフトの遠位端から該プラグ部材が取り外される、請求項７に記載の装置。
【請求項１１】  前記係合エレメントが機械的に拡張可能なフレームを備える、請求項１０に記載の装置。
【請求項１２】  前記係合エレメントが膨張可能な部材を備える、請求項１０に記載の装置。
【請求項１３】  前記プラグ部材が十分に硬く、その結果、該プラグ部材が、前記係合部材が折り畳まれた場合に実質的に自己支持する、請求項１０に記載の装置。
【請求項１４】  前記プラグ部材が生体吸収性材料を含む、請求項７に記載の装置。
【請求項１５】  前記プラグ部材が、前記細長シャフトの遠位端に実質的に永久的に取り付けられている、請求項１に記載の装置。
【請求項１６】  前記細長シャフトの近位端から前記プラグ部材を通って延びる管腔、および該管腔を選択的に封鎖するためのシールをさらに備える、請求項１に記載の装置。
【請求項１７】  前記シールが、前記細長シャフトの近位端に配置される、請求項１６に記載の装置。
【請求項１８】  組織を通る通路を封鎖するための装置であって：
近位端、遠位端、および該近位端と該遠位端との間に延びる管腔を有する細長部材；ならびに
該細長部材の遠位端に配置されたプラグ部材、
を備え、該プラグ部材は、該管腔と連通した遠位ポートを備え、そして該細長部材の断面積よりも大きい断面積を有する、装置。
【請求項１９】  前記プラグ部材が、前記遠位ポートと前記管腔との間に延びる該プラグ部材内の通路を備える、請求項１８に記載の装置。
【請求項２０】  前記通路を通る流体から該通路を実質的に封鎖するために、該通路に配置されるシール部材をさらに備える、請求項１９に記載の装置。
【請求項２１】  前記シール部材が、前記通路を実質的に封鎖するために流体に曝された場合に拡張可能な材料を含む、請求項２０に記載の装置。
【請求項２２】  前記シール部材が、前記通路を通る流体から該通路を実質的に封鎖するための第１の配置に偏っており、かつ、該通路を通る１つ以上のデバイスの導入に適合するための第２の配置に移動可能である、請求項２０に記載の装置。
【請求項２３】  前記シール部材がバルブを備える、請求項２０に記載の装置。
【請求項２４】  前記管腔が、断面の減少するテーパー状部分を備え、前記シール部材は、該管腔のテーパー状部分の幅の広い方の端に隣接して配置されたほぼ環形状の部材を備え、該環形状部材が、該管腔を実質的に封鎖するために該テーパー状部分に移動可能である、請求項２０に記載の装置。
【請求項２５】  前記細長部材に連結された活性化エレメントをさらに備え、該活性化エレメントは、前記管腔を実質的に封鎖するために、前記シール部材を前記テーパー状部分に移動させるために、前記プラグ部材の管腔に延びている、請求項２４に記載の装置。
【請求項２６】  前記管腔を通して挿入可能な細長部材をさらに含み、その結果、該細長部材の遠位端が前記プラグ部材の遠位端を越えて配置されている、請求項１９に記載の装置。
【請求項２７】  前記細長部材の遠位端が、前記プラグ部材の遠位端が身体管腔に隣接して配置されるときを同定するための、位置インジケーターを備える、請求項２６に記載の装置。
【請求項２８】  前記細長部材が、出血逆流管腔を備える管状部材を備え、前記位置インジケーターが該管状部材の遠位端に出血逆流ポートを備え、該出血逆流ポートが該出血逆流管腔と連通している、請求項２７に記載の装置。
【請求項２９】  前記位置インジケーターが拡張可能な部材を備え、該拡張可能な部材が、前記身体管腔に対して前記プラグ部材の遠位端の位置の感覚的フィードバックを提供するために、該遠位端が身体管腔内に配置された場合に拡張可能である、請求項２７に記載の装置。
【請求項３０】  前記細長部材が実質的に非外傷性の遠位先端を備えるオブトラトールを含む、請求項２６に記載の装置。
【請求項３１】  前記通路を実質的に封鎖し、さらに該通路を通る前記細長部材の挿入に適合するためのバルブを該通路にさらに備える、請求項２６に記載の装置。
【請求項３２】  前記プラグ部材が前記細長部材から取り外し可能である、請求項１８に記載の装置。
【請求項３３】  前記細長部材が、該細長部材の遠位端から前記プラグ部材を取り外すためのアクチュエーターを備える、請求項３２に記載の装置。
【請求項３４】  前記細長部材の遠位端に前記プラグ部材を取り外し可能に固定するための協働コネクタを、該細長部材の該遠位端および該プラグ部材上にさらに備える、請求項３２に記載の装置。
【請求項３５】  前記プラグ部材が内部空洞を有し、前記細長部材が、該細長部材の遠位端から延びる、該空洞への挿入のための係合エレメントを備え、該係合エレメントは該プラグ部材の内部壁に係合および分離するために拡張可能かつ折り畳み可能であり、それによって、それぞれ、該プラグ部材が該細長部材の遠位端に選択的に固定され、該細長部材の遠位端から該プラグ部材が取り外される、請求項３２に記載の装置。
【請求項３６】  前記プラグ部材が生体吸収性材料を含む、請求項３２に記載の装置。
【請求項３７】  組織を通る通路を封鎖するための装置であって：
細長部材であって、近位端および遠位端、ならびに該近位端と該遠位端との間に延びる、該細長部材の外側壁の溝を備える、細長部材；
近位端および遠位端、ならびに該近位端と該遠位端との間に延びる第１の管腔を備える、キャリア部材；ならびに
該キャリア部材の遠位端上にあるプラグ部材であって、該第１の管腔と連通した、該プラグ部材を通って延びる第２の管腔を備える、プラグ部材、
を備え、ここで該細長部材は、該第１および第２の管腔にスライド可能であり、その結果、該溝の端は、該第１および第２の管腔の壁に実質的に係合して出血逆流管腔を規定する、装置。
【請求項３８】  前記プラグ部材が、該プラグ部材の外表面上にらせん状スレッドを備える、請求項３７に記載の装置。
【請求項３９】  前記プラグ部材が、前記キャリア部材の断面積よりも大きい断面積を有する、請求項３８に記載の装置。
【請求項４０】  前記第２の管腔を通る流体から該第２の管腔を実質的に封鎖するための、該第２の管腔に配置されたシール部材をさらに備える、請求項３７に記載の装置。
【請求項４１】  前記シール部材が、流体に曝された場合に拡張可能な材料を含む、請求項４０に記載の装置。
【請求項４２】  前記シール部材が、前記第２の管腔を通る流体から該第２の管腔を実質的に封鎖するための第１の配置に偏っており、かつ、該第２の管腔を通る１つ以上のデバイスの導入に適合するための第２の配置に移動可能である、請求項４０に記載の装置。
【請求項４３】  前記シール部材がバルブを備える、請求項４０に記載の装置。
【請求項４４】  前記シール部材が、該第２の管腔内に配置されたほぼ環形状の部材を備え、前記装置が、前記キャリア部材に連結した活性化エレメントをさらに備え、該活性化エレメントが、該環形状の部材を変形して該第２の管腔を実質的に封鎖するために該第２の管腔内で移動可能である、請求項４０に記載の装置。
【請求項４５】  前記第２の管腔が、断面の減少するテーパー状部分を備え、該環形状部材が、該第２の管腔を実質的に封鎖するために該活性化エレメントにより該テーパー状部分に移動可能である、請求項４４に記載の装置。
【請求項４６】  前記環形状の部材の遠位端が遠位に移動しないように固定されており、前記活性化エレメントは、該環形状の部材の近位端を該環形状の部材の遠位端の方に圧縮して、該環形状の部材を前記第２の管腔に押し込むための配置である、請求項４４に記載の装置。
【請求項４７】  前記細長部材が管状部材を備える、請求項３７に記載の装置。
【請求項４８】  前記管状部材がガイドワイヤ管腔を備え、該ガイドワイヤ管腔は、該ガイドワイヤ管腔を通してガイドワイヤを受け取るために前記近位端と遠位端との間に延びている、請求項４７に記載の装置。
【請求項４９】  前記細長部材が、前記近位部分と遠位部分との間に延びている複数の溝を備える、請求項３７に記載の装置。
【請求項５０】  前記プラグ部材は、前記キャリア部材から取り外し可能である、請求項３７に記載の装置。
【請求項５１】  前記キャリア部材が、該キャリア部材の遠位端から前記プラグ部材を取り外すためのアクチュエーターを備える、請求項５０に記載の装置。
【請求項５２】  前記キャリア部材の遠位端に前記プラグ部材を取り外し可能に固定するための協働コネクタを、該キャリア部材の該遠位端および該プラグ部材上にさらに備える、請求項５１に記載の装置。
【請求項５３】  前記プラグ部材が内部空洞を有し、前記キャリア部材が、該キャリア部材の遠位端から延びる、該空洞への挿入のための係合エレメントを備え、該係合エレメントは該プラグ部材の内部壁に係合および分離するために拡張可能かつ折り畳み可能であり、それによって、それぞれ、該プラグ部材が該キャリア部材の遠位端に選択的に固定され、該キャリア部材の遠位端から該プラグ部材が取り外される、請求項５０に記載の装置。
【請求項５４】  前記プラグ部材が生体吸収性材料を含む、請求項５４に記載の装置。
【請求項５５】  前記プラグ部材が前記キャリア部材から取り外されるまで、該プラグ部材の回転が該キャリア部材の回転と連動している、請求項５０に記載の装置。
【請求項５６】  組織を通る通路を封鎖するための装置であって：
近位端および遠位端を有する細長シャフト；ならびに
該細長シャフトの遠位端に実質的に永久的に取り付けられたプラグ部材、
を備える、装置。
【請求項５７】  前記プラグ部材が、該プラグ部材の遠位端に空洞を有する、請求項５６に記載の装置。
【請求項５８】  止血促進材料および耐感染性材料のうちの少なくとも１つが、前記空洞に配置されている、請求項５７に記載の装置。
【請求項５９】  止血促進材料および耐感染性材料のうちの少なくとも１つが、前記プラグ部材の遠位端に固定されている、請求項５６に記載の装置。
【請求項６０】  前記細長シャフトの近位端から前記プラグ部材を通って延びる管腔、および該管腔を選択的に封鎖するためのシールをさらに備える、請求項５６に記載の装置。
【請求項６１】  組織を通る通路を封鎖するためのデバイスであって、該デバイスは、生体吸収性材料から形成されたプラグ部材を備え、該プラグ部材は、近位端、実質的に閉鎖された遠位端、および該近位端と遠位端との間を少なくとも部分的に延びる、外側円柱形表面上のらせん状スレッドを備える、デバイス。
【請求項６２】  前記プラグ部材を送達装置に分離可能に固定するためのコネクタを前記近位端にさらに備える、請求項６１に記載のデバイス。
【請求項６３】  前記本体が、前記近位端の開口部と連通した内部空洞をさらに備える、請求項６１に記載のデバイス。
【請求項６４】  請求項６１に記載のデバイスであって：
前記近位端と遠位入口ポートとの間を延びる管腔；および
該管腔を通る流体から該管腔を実質的に封鎖するために該管腔を横切って拡張可能な、該管腔内に配置されたシール部材、
をさらに備える、デバイス。
【請求項６５】  前記シール部材が、前記管腔を実質的に封鎖するために流体に曝された場合に拡張可能な材料を含む、請求項６４に記載のデバイス。
【請求項６６】  前記シール部材が環形状の部材を含む、請求項６４に記載のデバイス。
【請求項６７】  前記シール部材が生体吸収性材料を含む、請求項６４に記載のデバイス。
【請求項６８】  本体の近位端から延びる細長シャフトをさらに備える、請求項６４に記載のデバイス。
【請求項６９】  組織を通る通路を封鎖するデバイスであって：
近位端および遠位端を備える生体吸収性本体であって、該本体は、近位ポートと遠位ポートとの間を延びる管腔を備え、該管腔は断面積がテーパー状になったテーパー状部分を備える、生体吸収性本体；ならびに
該管腔のテーパー状部分の幅の広い方の端に隣接して配置されたほぼ環形状の部材を備えるシール部材であって、該シール部材は、該管腔を通る流体から該管腔を実質的に封鎖するために該テーパー状部分に移動可能である、シール部材、
を備える、デバイス。
【請求項７０】  前記シール部材が、前記管腔を実質的に封鎖するために流体に曝された場合に拡張可能な材料を含む、請求項６９に記載のデバイス。
【請求項７１】  前記シール部材が、前記テーパー状部分に押し込まれ得る可撓性材料を含む、請求項６９に記載のデバイス。
【請求項７２】  前記シール部材が生体吸収性材料を含む、請求項６９に記載のデバイス。
【請求項７３】  前記本体を送達装置に分離可能に固定するためのコネクタを該本体の前記近位端にさらに備える、請求項６９に記載のデバイス。
【請求項７４】  前記本体の近位端から延びる細長シャフトをさらに備える、請求項６９に記載のデバイス。